(57)【要約】【課題】収納物の収納位置及び姿勢を保持することができるレジ袋を提供することを課題とする。【解決手段】収納物を投入するための開口を有し、該開口を介して前記収納物を収容可能に形成される袋本体部２と、前記開口の縁部から延出する一対の把持部４，４とを備えるレジ袋１において、前記袋本体部２を挿通して絞るための絞り部５を少なくとも１つ備え、該絞り部５が袋本体部２又は把持部４の何れか一方から分離可能に連接されていることを特徴とする。【選択図】図３
2007186214.tif 000002
【特許請求の範囲】
【請求項１】
収納物を投入するための開口を有し、該開口を介して前記収納物を収容可能に形成される袋本体部と、前記開口の縁部から延出する一対の把持部とを備えるレジ袋において、前記袋本体部を挿通して絞るための絞り部を少なくとも１つ備え、該絞り部が袋本体部又は把持部の何れか一方から分離可能に連接されていることを特徴とするレジ袋。
【請求項２】
前記絞り部は、前記一対の把持部間における前記開口の縁部から延出することを特徴とする請求項１記載のレジ袋。
【請求項３】
前記絞り部は、一対からなり、対向するように前記開口の縁部から延出することを特徴とする請求項２記載のレジ袋。
【請求項４】
前記絞り部は、前記袋本体又は前記把持部との連接側端部の幅が狭くなるように形成されていることを特徴とする請求項１乃至３の何れか一項に記載のレジ袋。
【請求項５】
前記絞り部は、ミシン目を設けることによって分離可能に連接されることを特徴とする請求項１乃至４の何れか一項に記載のレジ袋。
【発明の詳細な説明】
【技術分野】
【０００１】
本発明は、コンビニエンスストアやスーパーマーケット等で使用されるポリエチレン等の合成樹脂製レジ袋に関する。
【背景技術】
【０００２】
従来より、消費者がコンビニエンスストアやスーパーマーケット等の販売店で商品を購入した際、購入した商品（収納物）を入れて持ち帰るために、通常、レジで渡される袋が使用される。
【０００３】
この時に使用される袋としては、一端に開口を有する袋本体部と、前記開口の縁部の両端で前記袋本体部に接続される一対の把持部とを備え、ポリエチレン製等の合成樹脂で形成される、いわゆるレジ袋又はイージーバッグと呼ばれる手提げ袋が知られている。
【発明の開示】
【発明が解決しようとする課題】
【０００４】
ところで、コンビニエンスストアやスーパーマーケット等の販売店では、店頭で種々の商品が多数販売され、消費者が購入する商品は一つに限られないため、従来のレジ袋は、種々の商品を複数入れることができるよう、袋本体部の開口から底部までが深くなるように形成されていた。
【０００５】
そのため、袋の中に収納した商品（収納物）が持ち運ぶのに不安定な形状である場合、例えば、食材等を収納した扁平な持ち帰り用容器等の場合、袋での持ち運び時の振れ等によって袋内の収納物が傾くなど、袋内での収納物の収納位置または姿勢を維持できないという問題が生じていた。
【０００６】
そこで、本発明は、上記問題点に鑑み、収納物の収納位置及び姿勢を保持することができるレジ袋を提供することを課題とする。
【課題を解決するための手段】
【０００７】
そこで、上記課題を解消すべく、本発明に係るレジ袋は、収納物を投入するための開口を有し、該開口を介して前記収納物を収容可能に形成される袋本体部と、前記開口の縁部から延出する一対の把持部とを備えるレジ袋において、前記袋本体部を挿通して絞るための絞り部を少なくとも１つ備え、該絞り部が袋本体部又は把持部の何れか少なくとも一方から分離可能に連接されていることを特徴とする。
【０００８】
上記構成とすることで、収納物を開口から投入した後、絞り部に一対の把持部を先端からそれぞれ挿通し、該絞り部を把持部を介して前記袋本体部側へ移動させることによって、絞り部に袋本体部が挿通した状態となる。
【０００９】
即ち、一対の把持部が挿通された絞り部を、挿通状態で袋本体部の底部方向へ移動させることで、該袋本体部が開口方向と直交する方向（幅方向）に絞り部によって絞られている状態となる。
【００１０】
この状態で、絞り部を袋本体部の底部に収納されている収納物方向へさらに移動させることにより、収納物の上方近傍で袋本体部が絞られた状態となり、収納物の収納位置及び姿勢が保持される。
【００１１】
また、前記絞り部は、前記一対の把持部間における前記開口の縁部から延出する構成とすることが好ましい。
【００１２】
上記構成とすることで、絞り部に一対の把持部をそれぞれ挿通する際、絞り部を袋本体部から分離した後で該絞り部に一対の把持部をそれぞれ挿通するだけでなく、絞り部を分離することなく一対の把持部を絞り部にそれぞれ挿通することが可能となる。そのため、一対の把持部又は袋本体部を挿通する前に、分離した絞り部を落して紛失等することなく、確実に一対の把持部を挿通することができるようになる。
【００１３】
そして、一対の把持部を挿通した状態の絞り部を開口の縁部から分離すると共に、袋本体部の底部方向へ移動させることで、収納物の上方近傍で袋本体部が絞られた状態となり、収納物の収納位置及び姿勢が保持される。
【００１４】
また、前記絞り部は、一対からなり、対向するように前記開口の縁部から延出する構成とすることが好ましい。
【００１５】
上記構成とすることで、一対の絞り部は、二重（二枚重ね）となるため強度が増し、一対の把持部又は袋本体部を挿通しても破損し難くなる。
【００１６】
また、前記絞り部は、前記袋本体又は前記把持部との連接側端部の幅が狭くなるように形成されている構成とすることが好ましい。
【００１７】
上記構成とすることで、絞り部を袋本体部又は把持部から分離する際に、分離し易くなる。
【００１８】
また、前記絞り部は、ミシン目を設けることによって分離可能に連接される構成とすることが好ましい。
【００１９】
上記構成とすることで、絞り部は、袋本体部又は把持部から容易に分離することができるようになる。
【発明の効果】
【００２０】
以上より、本発明によれば、収納物の収納位置及び姿勢を保持することができるレジ袋を提供することができるようになる。
【発明を実施するための最良の形態】
【００２１】
以下、本発明の一実施形態について、添付図面を参照しつつ説明する。
【００２２】
図１及び図２に示すように、本実施形態に係るレジ袋１は、一端に開口を有する袋本体部２と、該袋本体部２の開口の縁部３に連接された一対の把持部４，４と、前記開口の縁部３における幅方向の中央部に連接された一対の絞り部５，５とを備える。
【００２３】
本実施形態においては、レジ袋１を形成する素材は、ポリエチレン、ポリプロピレン、塩化ビニール等の合成樹脂製の薄いフィルムが使用されるが、これに限定される必要はなく、可撓性を有するフィルム状の素材であれば良い。また、レジ袋１の大きさは様々であり、その色も無色透明や白色であっても良く、着色されていても良い。さらに、レジ袋１の表面に模様や文字等が付されていても良い。
【００２４】
前記袋本体部２は、上端が開口すると共に下端がヒートシール６によって封止され、側部７，７を内側に折り畳んだ状態（図２参照）で、正面視略矩形となるように形成されている。
【００２５】
前記一対の把持部４，４は、開口の縁部３の幅方向両端に開口方向（上方）に向かって、それぞれ延出されている。また、本実施形態においては、先端部（上方側端部）はヒートシール８，８されている。
【００２６】
前記一対の絞り部５，５は、開口の縁部３の中央部に、開口方向（上方）へ突出するように対向して設けられ、袋本体部２との連接部（基部）の幅が狭くなった縦長の突出片によってそれぞれ構成されている。また、絞り部５，５は、中央部には挿通穴９がそれぞれ設けられている。
【００２７】
挿通穴９は、前記突出片の中央部に穿設された穴で、本実施形態においては、絞り部５の周縁に沿った形状（縦長の略楕円形）である。また、絞り部５における袋本体部２との連接部には、幅方向（正面視左右方向）に直線状のミシン目１０が形成されている。尚、本実施形態においては、ミシン目１０が形成されていることによって絞り部５が袋本体部２から分離し易くなっているが、表面に切れ込み（浅い溝）等を設けることで分離し易くしても良い。また、絞り部５，５と袋本体部２との連接部が、絞り部５，５を手で把持して引っ張ることで袋本体部２から分離可能な素材で形成されていれば、ミシン目等が形成されていなくても良い。
【００２８】
次に、本実施形態に係るレジ袋１の使用方法について図３を参照しつつ説明する。
【００２９】
まず、袋本体部２の開口から収納物（例えば、食材等を収容した持ち帰り用の扁平な収納容器）を投入する。次に、一対の把持部４，４を絞り部５，５の中央に設けられた挿通穴９，９に先端からそれぞれ挿通する（図２（イ）の矢印α）。本実施形態においては、一対の把持部４，４は、一対の絞り部５，５の両方に挿通されるが、どちらか一方のみに挿通されても良い。その後、絞り部５，５を、その基部に設けられたミシン目１０で袋本体部２から切り離す（分離する）。この切り離された絞り部５，５は、一対の把持部４，４が挿通された状態で袋本体部２まで移動させられ、さらに袋本体部２に収納されている収納物の上方近傍まで移動させられる（図２（ロ）矢印β）。このようにすることによって、絞り部５，５によって収納物の上方近傍の袋本体部２が絞られて、収納物の収納位置及び姿勢が固定される。
【００３０】
次に、本実施形態に係るレジ袋１の製造方法の一例について図４を参照しつつ説明する。
【００３１】
樹脂押出装置５０の端部にはノズル５１が設けられている。このノズル５１の円環状の開口部より加熱溶融したポリエチレン等の合成樹脂が所定圧力で吹き出される。それと同時に、ノズル５１の中央部に設けてある空気吹き出し口（図示せず）から空気が吹き出される。この吹き出された空気によって、ノズル５１から吹き出された合成樹脂がフィルム状となって所定の大きさに膨らみ、長い筒状の円筒体５２が形成される。
【００３２】
この円筒体５２は、両側面が内側に折れ込み、且つ出口側ほど上下面の間隔が狭くなる折り込み型枠５３を通過させられた後、押圧ローラ５４によりその上下両側から押圧される。その結果、筒状のフィルムが幅方向の両側に内側への折り込みを有する所定幅のシート状体５５として形成される。
【００３３】
その後、このシート状体５５は、印刷装置５６でその表面及び／又は裏面の所定位置に所定の印刷が施される。そして、このシート状体５５は下流工程においてロール５７に巻き取られる。
【００３４】
尚、上記円筒状に形成されたフィルムを幅方向の両側に内側への折り込みを有する所定幅のシート状体に成形する機器は、上記型枠５３に限定される必要はなく、幅方向両側を内側に押圧する側板と押圧ローラとにより構成される成形機でも良い。
【００３５】
次に、シート状体５５をロール５７より引き出し、ガイドローラ５８，５９により、下流側のカット／シール手段６０，６０に案内する。該カット／シール手段６０，６０は、上下両方向からシート状体５５を挟持することによって、該シート状体５５を所定長さにカットすると同時にシールを行うことができる。即ち、カット／シール手段６０，６０により、形成される袋の大きさに合わせて所定間隔毎にシート状体５５がヒートシール（融着）される。
【００３６】
このカット／シール手段６０は、上記シート状体５５を幅方向に横断するシール部材（線状の加熱部材）が上下一対に対向配置されている。このシール部材間をシート状体５５が搬送されるものである。そして、シート状体５５は、この所定間隔毎のシールと同時に、該シール位置の長手方向中央を直線状に切断される。その結果、上流及び下流の両端が共にシール（封止）された袋が形成されることになる。
【００３７】
さらに、この両端をシールされた袋は、下流側に設けられている裁断機６１に搬送される。この裁断機６１において、袋の開口部側が所定の形状に裁断される。即ち、前記把持部４，４及び突出部５，５とを有する形状に裁断される。
【００３８】
以上のように、本実施形態に係るレジ袋１は、前記袋本体部２を挿通して絞るための絞り部５，５を袋本体部２における開口の縁部３に分離可能に設けられており、分離された絞り部５，５に袋本体部２が挿通されて絞られることによって、袋本体部２の収納空間を小さくすることができる。そのため、収納物を収納した状態でレジ袋１を持ち運んだとしても、その際の振れによって収納物が傾いたりすることなく、収納物の収納位置及び姿勢を保持することができるようになる。
【００３９】
また、絞り部５，５は、袋本体部２に分離可能に接続されていることから、必要な時に直ぐに使用でき、また、紛失し難い。
【００４０】
さらに、絞り部５，５は、一対の把持部４，４間における開口の縁部３の中央部に設けられていることから、袋本体部２から分離する前に前記把持部４，４を挿通することができ、挿通する際に絞り部５，５を落として紛失することもない。
【００４１】
また、絞り部５，５は、ミシン目を有する連接部を介して袋本体部２と連接されているため、袋本体部２を絞る際に、容易に切り離す（分離する）ことができる。
【００４２】
尚、本発明に係るレジ袋１は、上記実施形態に限定されるものではなく、本発明の要旨を逸脱しない範囲で種々の変更が可能である。
【００４３】
例えば、本実施形態においては、絞り部５，５は、２枚（一対）設けられているが、これに限定される必要はなく、複数枚設けられていても良い。このようにすることで、ある一対の絞り部が破損した（破れた）としても、他の絞り部を使用することができる。また、収納物の重さや大きさによって、使用する絞り部の枚数を好適な枚数にすることができる。
【００４４】
また、一対の絞り部５，５は、一対の把持部４，４間における開口の縁部３の中央部に連接される必要はなく、中央部以外の場所に連接されても良い。例えば、一対の把持部４，４に連接されても良く、袋本体部２の開口の縁部３以外に連接されても良い。このような場所に連接されても、絞り部５，５を連接位置から分離すれば、袋本体部２を挿通することができる。また、袋本体部２のヒートシール部に連接されてもよく（図５の１１）、一対の把持部４，４のヒートシール部に連接されても良い（図５の１２）。このような場所にも連接されることで、絞り部５，５もヒートシールされ、強度が増し使用時に破損し難くなる。
【００４５】
また、本実施形態においては、絞り部５，５に設けられる挿通穴９は、絞り部５，５の周縁に沿った形状に穿設されているが、これに限定される必要はなく、一対の把持部４，４及び袋本体部２が挿通でき、袋本体部２を絞ることができる穴であれば良い。
【００４６】
また、穴に限定される必要はなく、図６（イ）に示すように、直線状の切れ込み１３であっても良く、図６（ロ）に示すようなスリット１４であっても良い。さらに、図６（ハ）及び（ニ）に示すように、ミシン目１５，１６であっても良い。このような形状であっても、切れ込み１３やスリット１４を拡げたり、ミシン目１５，１６を切り離すことで、かかる部分に一対の把持部４，４及び袋本体部２を挿通することができ、袋本体部２を絞ることができる。尚、上記切れ込み１３等を設けた絞り部５，５は、切れ込み１３等に袋本体部２を挿通した際に破れないよう、破れ難くする加工が施されたり、破れ難い素材で形成された方が好ましい。
【００４７】
また、本実施形態においては、絞り部５，５は、袋本体部２との連接部が括れる（幅が狭くなる）ように形成されているが、これに限定される必要はなく、絞り部５，５と同幅であっても良く（図６（イ）及び（ロ））、幅が広くても良い（図６（ハ））。
【図面の簡単な説明】
【００４８】
【図１】本実施形態に係るレジ袋の正面図を示す。
【図２】図１のＡ−Ａ断面図を示す。
【図３】本施形態に係るレジ袋の使用方法を示す図で、（イ）は、絞り部に把持部を挿通する前の斜視図を示し、（ロ）は、絞り部に袋本体部を挿通した状態の斜視図を示す。
【図４】同実施形態に係るレジ袋の製造工程を示す模式図で、（イ）は、シート状体を製造する行程を示す模式図で、（ロ）は、シート状体からレジ袋を製造する行程を示す模式図である。
【図５】開口の縁部以外に絞り部を連接したレジ袋の正面図を示す。
【図６】他実施形態における絞り部の部分拡大図を示す。
【符号の説明】
【００４９】
１…レジ袋、２…袋本体部、３…開口の縁部、４…把持部、５…絞り部、６…ヒートシール、７…側部、８…ヒートシール、９…挿通穴、１０…ミシン目、１１，１２…絞り部、１３…切れ込み、１４…スリット、１５，１６…ミシン目
【図１】
2007186214.tif 000003
【図２】
2007186214.tif 000004
【図３】
2007186214.tif 000005
【図４】
2007186214.tif 000006
【図５】
2007186214.tif 000007
【図６】
2007186214.tif 000008